(57)【要約】  【課題】簡単な機構で積層された単葉状印刷物の底部に残ったものの取り出しや、１枚のみ単葉状印刷物を発行した場合の取り出しであっても、容易に行うことのできるスタッカー装置を提供すること。  【解決手段】上下方向に動く作動棒と、作動棒の下端に一端が回動可能に接続され、プリンタ本体により印刷された印刷物が積層される底板の下において鉛直面内で回動可能に設けられた操作軸と、操作軸の他端に下端が接続された印刷物持ち上げ部材と、操作軸に設けられた支点とを有することを特徴とする【選択図】        図４
2008110846.tif 000002
【特許請求の範囲】
【請求項１】
プリンタ本体の下流側に位置するスタッカー装置であって、
上下方向に動く作動棒と、
前記作動棒の下端に一端が回動可能に接続され、前記プリンタ本体により印刷された印刷物が積層される底板の下において鉛直面内で回動可能に設けられた操作軸と、
該操作軸の他端に下端が接続された印刷物持ち上げ部材と、
前記操作軸に設けられた支点と
を有することを特徴とするスタッカー装置。
【請求項２】
前記印刷物持ち上げ部材を、印刷された印刷物が当接する側板側に設けたこと
を特徴とする請求項１記載のスタッカー装置。
【請求項３】
前記操作軸の他端部が前記印刷物持ち上げ部材の機能を有すること
を特徴とする請求項１又は請求項２記載のスタッカー装置。
【請求項４】
前記作動棒に連結された操作つまみをスタッカーハウジング側面に取付けてあること
を特徴とする請求項１、請求項２又は請求項３記載のスタッカー装置。
【請求項５】
前記作動棒が挿通されるガイドが設けられていること
を特徴とする請求項１乃至４の何れかに記載のスタッカー装置。
【発明の詳細な説明】
【技術分野】
【０００１】
本発明はプリンタのスタッカー装置に係り、特に印字用紙が単葉状に形成されて積層されるスタッカー装置に関する。
【背景技術】
【０００２】
スタッカー装置は、プリンタの下流側に設置され、プリンタにより所定の情報が印字されて所定の長さに切断された単葉状印刷物を、順次積層して、以後の取り扱いを容易にするものである。
プリンタ排出口から順次排出された単葉状印刷物は、スタッカー装置の引き込み機構により引き込まれ、底板上に支持されている側板にその側縁を当接させる。この結果、単葉状印刷物は、底板の上で積層されていく。
ところで、積層された単葉状印刷物を取り出す際には、一般にはプリンタの各種機能を停止させると共に、スタッカー装置の引き込み機構を停止させた後に、スタッカー装置の底板と、積層された単葉状印刷物の最下部との間に指を入れて該単葉状印刷物を持ち上げて取り出す。
なお、大型印刷物のカッター用スタッカー装置であって、印刷物が積層されるスタッカーテーブルが上下動する形式のものにおいて、倒れ防止バーをスタッカーテーブルの最下部に設置し、積層された印刷物を下方から上方に突き上げる技術が開示されている（特許文献１参照）。
【０００３】
【特許文献１】特開２００５−１８７１１０号公報
【発明の開示】
【発明が解決しようとする課題】
【０００４】
しかしながら、特許文献１の技術は、印刷物のスタック方法を含めて装置構造が従来のスタッカー装置と大きく異なる。したがって、スタッカーテーブルに該当する底板が固定されていて、重り部材を有するスタッカー装置にあっては、上記の課題を解決するものはなかった。従来のスタッカー装置の場合、積層された単葉状印刷物を上方から押さえつける重り部材を有していることから、積層された単葉状印刷物を取り出す際に、底部に残ったものの取り出しは困難であった。また、１枚のみ単葉状印刷物を印刷した場合にも当該単葉状印刷物の取り出しが困難であった。さらに、重り部材を外す構成であっても、積層した印刷物自体の重さにより取り出しにくいという課題があった。
【０００５】
本発明は斯かる課題を鑑みてなされたもので、上記課題を解決できる発明を提供することを目的とする。
【課題を解決するための手段】
【０００６】
本発明の請求項１記載のスタッカー装置は、
プリンタ本体の下流側に位置するスタッカー装置であって、
上下方向に動く作動棒と、前記作動棒の下端に一端が回動可能に接続され、前記プリンタ本体により印刷された印刷物が積層される底板の下において鉛直面内で回動可能に設けられた操作軸と、該操作軸の他端に下端が接続された印刷物持ち上げ部材と、
前記操作軸に設けられた支点とを有することを特徴とする。
また、本発明の請求項２記載のスタッカー装置は、
前記印刷物持ち上げ部材を、印刷された印刷物が当接する側板側に設けたことを特徴とする。
また、本発明の請求項３記載のスタッカー装置は、前記操作軸の他端部が前記印刷物持ち上げ部材の機能を有することを特徴とする。
また、本発明の請求項４記載のスタッカー装置は、前記作動棒に連結された操作つまみをスタッカーハウジング側面に取付けてあることを特徴とする。
また、本発明の請求項５記載のスタッカー装置は、前記作動棒が挿通されるガイドが設けられていることを特徴とする。
【発明の効果】
【０００７】
本発明によるスタッカー装置によれば、積層された単葉状印刷物を持ち上げる印刷物持ち上げ機構を設けたので、積層された単葉状印刷物の底部に残ったものの取り出しや、１枚のみ単葉状印刷物を発行した場合の取り出しであっても、容易に行うことができる。
【発明を実施するための最良の形態】
【０００８】
以下、本発明の実施の形態に係るスタッカー装置を図に基づき説明する。 
スタッカー装置４は、プリンタ本体３の下流側に位置している。
作動棒３０ａと、操作軸３０ｂと、印刷物持ち上げ部材３０ｃと、支点３０ｄとを備えている。
作動棒３０ａは、上下方向に動く。
操作軸３０ｂは、前記作動棒３０ａの下端に一端が回動可能に接続され、前記プリンタ本体３により印刷された印刷物が積層される底板３１の下において鉛直面内で回動可能に設けられている。
印刷物持ち上げ部材３０ｃは、前記操作軸３０ｂの他端に下端が接続されている。
支点３０ｄは、前記操作軸３０ｂに設けられている。
また、スタッカーハウジング２４と、単葉状印刷物１０を積載する底板３１と、底板３１上に支持されて単葉状印刷物１０の一方の側縁を当接することで単葉状印刷物１０を所望の位置に置く側板３２と、積層された単葉状印刷物１０を上から押さえつける重り部材３３とを有する。
【０００９】
帯状物供給部２は、プリンタ本体３に送り出されるラベル連続体等の帯状物５が巻回されている。
【００１０】
プリンタ本体３は、カーボンリボン供給軸７と、帯状物５の印字部８と、カーボンリボン巻取軸９と、帯状物５を単葉状印刷物１０に切断する切断部１１とを有する。
【００１１】
印字部８は、サーマルヘッド１２及びプラテンローラ１３を有し、これらの間にカーボンリボン６及び帯状物５を挟持した状態で移送機構１４を駆動することにより、その移送にともなって所望の印字情報を帯状物５に印字する。
【００１２】
切断部１１は、印字部８で印字された帯状物５が通過する際に、該帯状物５を所定長さの単葉状印刷物１０に切断する。切断されて形成された単葉状印刷物１０は、スタッカー装置４の入り口部１５に向けて排出される。
【００１３】
図２は、スタッカー装置４の底板３１から側板３２を取り外した状態のスタッカー装置４の斜視図である。以下図１及び図２を参照する。
【００１４】
スタッカー装置４の入り口部１５には、上部引き込みローラ４０と、駆動モータ２１により回転駆動する下部引き込みローラ２０と、下部引き込みローラ２０に掛け回されたエンドレスベルト２２とが設けられている。
【００１５】
図３に示すように、重り部材３３は、積層した単葉状印刷物１０を上方から押さえつけるもので、重り３３ａと重り３３ａの下部に固定した押さえプレート３３ｂとを有する。重り３３ａは、スタッカーハウジング２４に縦方向に形成されたスリット２３にピン等で嵌着される。
【００１６】
図４は、印刷物持ち上げ機構３０を説明するスタッカーハウジング２４の概略断面図であって、一点鎖線部分は、印刷物持ち上げ部材３０ｃが上方へ移動した場合を示す。
【００１７】
印刷物持ち上げ機構３０は、作動棒３０ａと、操作つまみ３０ｅと、操作軸３０ｂと、印刷物持ち上げ部材３０ｃとを有する。作動棒３０ａは、例えばスタッカーハウジング２４側面において上下方向に移動可能に設置され、作動棒３０ａの上端付近には、連結部材３５を介して操作つまみ３０ｅが取付けられている。操作軸３０ｂは、その一端側の第一端部３０ｂ１に作動棒３０ａの下端を回動可能に接続され、他端側の第二端部３０ｂ２に印刷物持ち上げ部材３０ｃが接続されている。
【００１８】
前記操作軸３０ｂは、底板３１の下においてスタッカーハウジング２４に設置された支承部３４で鉛直面内回動可能に支持されている。この支承部３４は、例えばスタッカーハウジング２４底部に溶接等で取付けられる本体取付け部３４ａと該取付け部３４ａと一体成形された回動支持部３４ｂとを有している。
さらに詳述すると、前記操作軸３０ｂは、長手方向略中間位置と、前記第一端部３０ｂ１に回動部を有していて、前記長手方向略中間位置の回動部たる支点３０ｄが前記回動支持部３４ｂに回動ピン３６により鉛直面内に回動可能に軸支されている。
【００１９】
スタッカーハウジング２４側面部には、第一の長孔２５と第二の長孔２６が形成されており、連結部材３５と操作軸３０ｂの上下動を可能とする。
【００２０】
ガイド３７は、スタッカーハウジング２４側面部に設けられていて、作動棒３０ａが挿通されている。
【００２１】
底板３１には、図２に示すように印刷物持ち上げ部材３０ｃが突出可能な貫通孔４１が形成されている。この印刷物持ち上げ部材３０ｃの突出により積層された単葉状印刷物１０が持ち上げられる。この貫通孔４１の形成位置つまり印刷物持ち上げ部材３０ｃの突出位置については、側板３２と重り部材３３が底板３１に当接する位置との間であって側板３２側に位置される。
【００２２】
以下に、スタッカー装置４の動作を説明する。
プリンタ本体３から順次排出される単葉状印刷物１０は、上部引き込みローラ４０とエンドレスベルト２２との間に挟持されて底板３１上に立設された側板３２方向に引き込まれる。引き込まれた単葉状印刷物１０は、底板３１上に既に積層されている単葉状印刷物１０の最下部と底板３１との間に挿入され、引き込み方向先端側の側縁が側板３２に当接する。このようにして、プリンタ本体３で印字された単葉状印刷物１０が、底板３１上に順次積層される。
【００２３】
図３及び図４から印刷物持ち上げ機構３０の動作を説明する。
まず、スタッカーハウジング２４側面部に設置された操作つまみ３０ｅを第一の長孔２５の上端から下方へ降下させる。これにより、操作つまみ３０ｅと連結部材３５によって連結された作動棒３０ａが降下し、作動棒３０ａの下端に接続された操作軸３０ｂの第一端部３０ｂ１が下方へ移動する。
【００２４】
操作軸３０ｂは、略中間位置の支点３０ｄを支承部３４により鉛直面内に回動可能に軸支されており、この構成により、操作軸３０ｂの第一端部３０ｂ１の反対側の第二端部３０ｂ２を、該第二端部近傍に設置された引張りスプリング３８の張力に反して上方へ移動させる。第二端部３０ｂ２には、印刷物持ち上げ部材３０ｃが接続されており、これにより、印刷物持ち上げ部材３０ｃが底板３１の下方から貫通孔４１を突出して底板３１上の積層された単葉状印刷物１０を持ち上げる。このことにより、積層された単葉状印刷物１０の最底部と底板３１の間には、空隙ができる。
【００２５】
前記印刷物持ち上げ部材３０ｃが底板３１上部に突出した図３で示す状態のもとでは、積層された単葉状印刷物１０の底部に残ったものの取り出しや、１枚のみ単葉状印刷物１０を発行した場合の取り出しであっても、これらを容易に行うことができる。
【００２６】
重り３３ａは、スタッカーハウジング２４に縦方向に形成されたスリット２３にピン等で嵌着されている。これにより、単葉状印刷物１０の積層高さに応じて重り部材３３はスリット２３に沿って移動可能となり、積層された単葉状印刷物１０の崩れを防止できる。
【００２７】
スタッカーハウジング２４側面部には、第一の長孔２５と第二の長孔２６が形成されており、連結部材３５と操作軸３０ｂの上下動を可能とする。このことにより操作つまみ３０ｅの操作に従って作動棒３０ａ及び操作軸３０ｂが動作する。なお、操作軸３０ｂの第二端部３０ｂ２の近傍にスタッカーハウジング２４底部と一端を接続した引張りスプリング３８が設置されている。これにより、操作つまみ３０ｅの不操作時には、作動棒３０ａ及び操作軸３０ｂは図３の実線表示の位置に強制的に引き戻される。
【００２８】
スタッカーハウジング２４側面部にガイド３７が設けられていることから作動棒３０ａの上下動が安定する。
【００２９】
貫通孔４１の形成位置つまり印刷物持ち上げ部材３０ｃの突出位置を、側板３２と重り部材３３が底板３１に当接する位置との間であって側板３２側に位置したことから、重り部材３３の鉛直面から外れ、単葉状印刷物１０を少ない力で持ち上げられる。また、重り部材３３をスリット２３上部に定置した後に単葉状印刷物１０を取り出すときであっても、積層された単葉状印刷物１０の重心から外れた位置であることから、前記同様に少ない力で持ち上げられる。
【００３０】
例えば、操作軸３０ｂの第二端部３０ｂ２が、前記一連の動作により、前記貫通孔４１から突出するように構成した場合には、前記印刷物持ち上げ部材３０ｃを設置することなく、上述と同様の作用及び効果が得られる。
【００３１】
また、例えば、印刷物持ち上げ部材３０ｃを操作軸３０ｂの第二端部３０ｂ２と接続せずに、単独で貫通孔４１の下部に上下動可能に設置してもよい。この場合、前記一連の動作により、操作軸３０ｂの第二端部３０ｂ２が前記設置された印刷物持ち上げ部材３０ｃの下端部を上方へ押し上げることになる。そして印刷物持ち上げ部材３０ｃの上端が貫通孔４１から突出することによって上述と同様の効果が得られる。更に印刷物持ち上げ部材３０ｃは横方向に動かないので、持ち上げ時に印刷物を傷つけるおそれが低くなる。
【００３２】
また、印刷物持ち上げ部材３０ｃを側板３２の立設位置の近傍に設置した実施例を図５に示す。このような位置に設置した場合には、積層された単葉状印刷物１０の端部側に近い部位を持ち上げることから、これらの取り出しが更に便宜である。
【００３３】
ところで、本発明の実施形態を示す図１乃至図５において、操作つまみ３０ｅは、プリンタ本体３側からスタッカー装置４を見て右側のスタッカーハウジング２４側面の上部内側に設置されている。しかし、操作つまみ３０ｅの設置位置はこの位置に限られるものでなく、例えば、プリンタ本体３側からスタッカー装置４を見て左側のスタッカーハウジング２４側面の外側に設置してもよい。この位置に設置した場合には、積層された単葉状印刷物１０の手前で操作つまみ３０ｅを操作できるので、持ち上げ操作が容易になる。
【００３４】
なお、前記実施形態において示した各構成部材の諸形状や寸法等は一例であって、設計要求等に基づき種々変更可能であること、また、そのような変更した構造も本発明の範囲にあることは当業者に理解されるところである。
【図面の簡単な説明】
【００３５】
【図１】本発明の実施の形態によるプリンタの構成に関する概略側面図である。
【図２】本発明の実施の形態によるスタッカー装置の斜視図である。
【図３】本発明の実施の形態による印刷物持ち上げ機構の作動状態を示す概略側面図である。
【図４】本発明の実施の形態による印刷物持ち上げ機構を説明する概略断面図である。
【図５】本発明の実施の形態による印刷物持ち上げ機構位置の変形例を示す概略側面図である。
【符号の説明】
【００３６】
１    プリンタ
２    帯状物供給部
３    プリンタ本体
４    スタッカー装置
５    帯状物
６    カーボンリボン
７    カーボンリボン供給軸
８    印字部
９    カーボンリボン巻取軸
１０  単葉状印刷物
１１  切断部
１２  サーマルヘッド
１３  プラテンローラ
１４  移送機構
１５  入り口部
２０  下部引き込みローラ
２１  駆動モータ
２２  エンドレスベルト
２３  スリット
２４  スタッカーハウジング
２５  第一の長孔
２６  第二の長孔
３０  印刷物持ち上げ機構
３０ａ  作動棒
３０ｂ  操作軸
３０ｂ１  第一端部
３０ｂ２  第二端部
３０ｃ  印刷物持ち上げ部材
３０ｄ  支点
３０ｅ  操作つまみ
３１  底板
３２  側板
３３  重り部材
３３ａ  重り
３３ｂ  押さえプレート
３４  支承部
３４ａ  取付け部
３４ｂ  回動支持部
３５  連結部材
３６  回動ピン
３７  ガイド
３８  引張りスプリング
４０  上部引き込みローラ
４１  貫通孔
【図１】
2008110846.tif 000003
【図２】
2008110846.tif 000004
【図３】
2008110846.tif 000005
【図４】
2008110846.tif 000006
【図５】
2008110846.tif 000007